(57)【要約】【課題】非正規な利用者によるデータ処理装置の使用を確実かつ容易に制限し、かつ測定装置の動作条件を容易に設定可能とする。【解決手段】ＳＩＭカード認証通信方式の通信端末２に装着されるＳＩＭカードＣのカード識別データＤｃ、およびカードＣが装着された端末２に接続される測定装置３ａ〜３ｃの測定装置識別データＤ３ａ〜Ｄ３ｃを記憶する記憶部と、データＤｃが記憶されているカードＣが装着された端末２を介してのデータの送受信を許容し、データＤｃが記憶されていないカードＣが装着された端末２を介してのデータの送受信を規制する処理部とを備え、処理部は、装置３の動作条件データＤｒを装置３から端末２を介して受信して装置３のデータＤ３に関連付けて記憶させる第１の処理と、対応するデータＤ３，Ｄｒが記憶されている装置３に対して端末２を介してデータＤｒを送信する第２の処理とを実行可能に構成されている。【選択図】図１
2019149103.tif 000002
【特許請求の範囲】
【請求項１】
ＳＩＭカード認証通信方式の通信装置を使用した通信が可能な通信網を利用し、当該通信装置に接続された測定装置との間で任意のデータを送受信可能に構成されたデータ処理装置であって、
前記通信装置に装着されるＳＩＭカードを識別可能な第１の識別データ、および前記第１の識別データに対応する前記ＳＩＭカードが装着された前記通信装置に接続される前記測定装置を識別可能な第２の識別データを記憶する記憶部と、
前記第１の識別データが前記記憶部に記憶されている前記ＳＩＭカードが装着された前記通信装置としての第１の通信装置を介しての前記測定装置との間の前記任意のデータの送受信を許容すると共に、前記第１の識別データが前記記憶部に記憶されていない前記ＳＩＭカードが装着された前記通信装置としての第２の通信装置を介しての前記測定装置との間の前記任意のデータの送受信を規制する処理部とを備え、
前記処理部は、前記第１の通信装置に接続された前記測定装置の動作条件を特定可能な動作条件データを前記任意のデータとして当該測定装置から当該第１の通信装置を介して受信して当該測定装置の前記第２の識別データに関連付けて前記記憶部に記憶させる第１の処理と、前記第１の通信装置に接続され、かつ対応する前記第２の識別データおよび前記動作条件データが前記記憶部に記憶されている前記測定装置に対して当該第１の通信装置を介して当該動作条件データを送信する第２の処理とを実行可能に構成されているデータ処理装置。
【請求項２】
請求項１記載のデータ処理装置と、前記通信装置と、前記測定装置とを備えて構成されている測定システム。
【請求項３】
ＳＩＭカード認証通信方式の通信装置を使用した通信が可能な通信網を利用し、当該通信装置に接続された測定装置との間で任意のデータを送受信可能に構成されたデータ処理装置に対して当該測定装置との間の当該任意のデータの送受信を制御させるデータ処理用プログラムであって、
前記通信装置に装着されるＳＩＭカードを識別可能な第１の識別データ、および前記第１の識別データに対応する前記ＳＩＭカードが装着された前記通信装置に接続される前記測定装置を識別可能な第２の識別データを記憶する記憶部と、前記第１の識別データが前記記憶部に記憶されている前記ＳＩＭカードが装着された前記通信装置としての第１の通信装置を介しての前記測定装置との間の前記任意のデータの送受信を許容すると共に、前記第１の識別データが前記記憶部に記憶されていない前記ＳＩＭカードが装着された前記通信装置としての第２の通信装置を介しての前記測定装置との間の前記任意のデータの送受信を規制する処理部とを備えた前記データ処理装置の当該処理部に対して、
前記第１の通信装置に接続された前記測定装置の動作条件を特定可能な動作条件データを前記任意のデータとして当該測定装置から当該第１の通信装置を介して受信して当該測定装置の前記第２の識別データに関連付けて前記記憶部に記憶させる第１の処理と、前記第１の通信装置に接続され、かつ対応する前記第２の識別データおよび前記動作条件データが前記記憶部に記憶されている前記測定装置に対して当該第１の通信装置を介して当該動作条件データを送信する第２の処理とを実行させるデータ処理用プログラム。
【発明の詳細な説明】
【技術分野】
【０００１】
本発明は、通信装置に接続された測定装置との間で任意のデータを送受信可能に構成されたデータ処理装置、そのようなデータ処理装置と通信装置と測定装置とを備えた測定システム、およびデータ処理装置の処理部に各種の処理を実行させるデータ処理用プログラムに関するものである。
【背景技術】
【０００２】
出願人は、携帯電話回線網などの通信ネットワークに接続可能な携帯情報端末（通信装置）を利用して、各測定装置とデータサーバ（データ処理装置）との間で各種のデータを送受信することが可能な測定システムを下記の特許文献に開示している。
【０００３】
この場合、出願人が開示している測定システムでは、測定装置および携帯情報端末がブルートゥース（Bluetooth ：登録商標）等の近距離無線通信規格に準ずる無線通信によって各種データを送受信することが可能に構成されると共に、携帯情報端末およびデータサーバが携帯電話回線網などの通信ネットワークを介して各種データを送受信することが可能に構成されている。これにより、出願人が開示している測定システムでは、測定現場において、データサーバに記録されている測定作業用のデータを携帯情報端末によって通信ネットワークを介して受信したり、測定装置の測定結果を携帯情報端末によって通信ネットワークを介してデータサーバに送信したりすることが可能となっている。
【先行技術文献】
【特許文献】
【０００４】
【特許文献１】特開２０１６−１６６７６１号公報（第１１−２７頁、第１−１５図）
【発明の概要】
【発明が解決しようとする課題】
【０００５】
ところが、出願人が開示している測定システムには、以下の改善すべき課題が存在する。具体的には、上記の測定システムでは、携帯情報端末を介して測定装置とデータサーバとの間で各種データを送受信することが可能な構成が採用されている。
【０００６】
この場合、測定装置から送信した測定結果のデータ等が蓄積されるデータサーバにおいては、蓄積されているデータの漏洩や、第三者によって送信されたデータ（データサーバを使用する権限を有さない者が送信したデータ）の蓄積に起因する記録可能容量の減少を回避するために、データサーバへの使用を正規な利用者に限定する必要がある。そこで、測定装置をデータサーバに接続する際にＩＤおよびパスワードを入力させる認証処理の実施が検討されたが、測定装置における操作部の操作によるＩＤおよびパスワードの入力が煩雑であり、利用者に対して大きな負担を強いるおそれがある。
【０００７】
また、出願人は、上記の測定システムの構成例における携帯情報端末（スマートフォン等）に固有の情報（例えば、携帯情報端末のシリアル番号）を認証情報として利用し、認証情報が合致する携帯情報端末を介してのデータサーバの使用を許容し、認証情報が合致しない携帯情報端末を介しての使用を規制する運用形態を検討した。
【０００８】
しかしながら、そのような運用形態では、例えば、認証情報の登録を完了した携帯情報端末が故障して他の携帯情報端末を使用しようとしたときに、認証情報を再登録する煩雑な作業が必要となる。また、利用者が逐次変更される可能性がある携帯情報端末（例えば、レンタル業者より貸与される携帯情報端末）を使用した場合、その携帯情報端末の使用を終了したときに、登録済の認証情報の抹消を忘れた場合には、その携帯情報端末の次の利用者がデータサーバにアクセスすることが可能な状態が維持されてしまう。このように、出願人が開示している測定システムでは、データサーバの利用者を確実かつ容易に制限するのが困難となっている現状があり、これを改善するのが好ましい。
【０００９】
また、上記の測定システムの利用形態としては、例えば、測定器および携帯情報端末を携行して複数箇所の測定現場で測定作業を順次実施するといった形態が存在する。この場合、複数箇所の測定現場における測定作業を連日繰り返して実施する際に、各測定現場毎の測定条件（測定装置の動作条件）が相違するときには、測定作業の開始に先立って測定装置を操作して測定現場に合致する測定条件を設定する操作を各測定現場毎に実施しなくてはならない。この測定条件の設定に関し、出願人が提供している測定装置のなかには、測定条件の設定の組み合わせを複数種類保存しておくことが可能な装置も存在するが、そのような機能を有さない測定装置や、保存できる測定条件の数が少数の測定装置を使用する場合には、上記のように測定現場毎の測定条件の設定作業が煩雑となっているため、この点を改善するのが好ましい。
【００１０】
本発明は、かかる改善すべき課題に鑑みてなされたものであり、非正規な利用者によるデータ処理装置および測定装置の間の各種データの送受信を確実かつ容易に制限すると共に、測定装置の動作条件の設定を容易に実施し得るデータ処理装置、測定システムおよびデータ処理用プログラムを提供することを主目的とする。
【課題を解決するための手段】
【００１１】
上記目的を達成すべく、請求項１記載のデータ処理装置は、ＳＩＭカード認証通信方式の通信装置を使用した通信が可能な通信網を利用し、当該通信装置に接続された測定装置との間で任意のデータを送受信可能に構成されたデータ処理装置であって、前記通信装置に装着されるＳＩＭカードを識別可能な第１の識別データ、および前記第１の識別データに対応する前記ＳＩＭカードが装着された前記通信装置に接続される前記測定装置を識別可能な第２の識別データを記憶する記憶部と、前記第１の識別データが前記記憶部に記憶されている前記ＳＩＭカードが装着された前記通信装置としての第１の通信装置を介しての前記測定装置との間の前記任意のデータの送受信を許容すると共に、前記第１の識別データが前記記憶部に記憶されていない前記ＳＩＭカードが装着された前記通信装置としての第２の通信装置を介しての前記測定装置との間の前記任意のデータの送受信を規制する処理部とを備え、前記処理部は、前記第１の通信装置に接続された前記測定装置の動作条件を特定可能な動作条件データを前記任意のデータとして当該測定装置から当該第１の通信装置を介して受信して当該測定装置の前記第２の識別データに関連付けて前記記憶部に記憶させる第１の処理と、前記第１の通信装置に接続され、かつ対応する前記第２の識別データおよび前記動作条件データが前記記憶部に記憶されている前記測定装置に対して当該第１の通信装置を介して当該動作条件データを送信する第２の処理とを実行可能に構成されている。
【００１２】
また、請求項２記載の測定システムは、請求項１記載のデータ処理装置と、前記通信装置と、前記測定装置とを備えて構成されている。
【００１３】
また、請求項３記載のデータ処理用プログラムは、ＳＩＭカード認証通信方式の通信装置を使用した通信が可能な通信網を利用し、当該通信装置に接続された測定装置との間で任意のデータを送受信可能に構成されたデータ処理装置に対して当該測定装置との間の当該任意のデータの送受信を制御させるデータ処理用プログラムであって、前記通信装置に装着されるＳＩＭカードを識別可能な第１の識別データ、および前記第１の識別データに対応する前記ＳＩＭカードが装着された前記通信装置に接続される前記測定装置を識別可能な第２の識別データを記憶する記憶部と、前記第１の識別データが前記記憶部に記憶されている前記ＳＩＭカードが装着された前記通信装置としての第１の通信装置を介しての前記測定装置との間の前記任意のデータの送受信を許容すると共に、前記第１の識別データが前記記憶部に記憶されていない前記ＳＩＭカードが装着された前記通信装置としての第２の通信装置を介しての前記測定装置との間の前記任意のデータの送受信を規制する処理部とを備えた前記データ処理装置の当該処理部に対して、前記第１の通信装置に接続された前記測定装置の動作条件を特定可能な動作条件データを前記任意のデータとして当該測定装置から当該第１の通信装置を介して受信して当該測定装置の前記第２の識別データに関連付けて前記記憶部に記憶させる第１の処理と、前記第１の通信装置に接続され、かつ対応する前記第２の識別データおよび前記動作条件データが前記記憶部に記憶されている前記測定装置に対して当該第１の通信装置を介して当該動作条件データを送信する第２の処理とを実行させる。
【発明の効果】
【００１４】
請求項１記載のデータ処理装置では、ＳＩＭカード認証通信方式の通信装置に装着されるＳＩＭカードを識別可能な第１の識別データ、および第１の識別データに対応するＳＩＭカードが装着された通信装置に接続される測定装置を識別可能な第２の識別データを記憶する記憶部と、第１の識別データが記憶部に記憶されているＳＩＭカードが装着された通信装置としての第１の通信装置を介しての測定装置との間の任意のデータの送受信を許容すると共に、第１の識別データが記憶部に記憶されていないＳＩＭカードが装着された通信装置としての第２の通信装置を介しての測定装置との間の任意のデータの送受信を規制する処理部とを備え、処理部が、第１の通信装置に接続された測定装置の動作条件を特定可能な動作条件データを任意のデータとして測定装置から第１の通信装置を介して受信して測定装置の第２の識別データに関連付けて記憶部に記憶させる第１の処理と、第１の通信装置に接続され、かつ対応する第２の識別データおよび動作条件データが記憶部に記憶されている測定装置に対して第１の通信装置を介して動作条件データを送信する第２の処理とを実行可能に構成されている。また、請求項２記載の測定システムでは、請求項１記載のデータ処理装置と、通信装置と、測定装置とを備えて構成されている。さらに、請求項３記載のデータ処理用プログラムでは、上記の各処理をデータ処理装置の処理部に実行させる。
【００１５】
したがって、請求項１記載のデータ処理装置、請求項２記載の測定システム、および請求項３記載のデータ処理用プログラムによれば、ユーザＩＤやパスワードの入力作業を行うことなく、データ処理装置の記憶部への第１の識別データの記憶が完了しているＳＩＭカードを装着した通信装置を介して接続させるだけで、測定装置等からデータ処理装置に対する各種データの送受信を行わせることができると共に、第１の識別データが記憶部に記憶されていないＳＩＭカードが装着された通信装置を介してのデータ処理装置の使用、すなわち、非正規な利用者によるデータ処理装置の使用を好適に制限することができる。また、故障等に起因して使用中の通信装置とは異なる通信装置を使用する場合にも、新規の登録作業や、新たな通信装置の使用についての登録事項の変更作業を行うことなく、記憶部への第１の識別データの記憶が完了しているＳＩＭカードを新たな通信装置に装着するだけで、変更前の通信装置を使用したデータの送受信時と同様に各種のデータを送受信させることができる。さらに、通信装置を介して各測定装置の動作条件データをデータ処理装置に保存しておくことで、通信装置を介してその動作条件データを取得して測定条件を設定することができるため、操作部の操作等による煩雑な設定作業を不要とし、任意の測定条件に従って測定処理を確実かつ容易に実施させることができる。
【図面の簡単な説明】
【００１６】
【図１】測定システム１００の構成、および測定システム１００の各構成要素とインターネットＮ１や移動体通信網Ｎ２等との接続態様の一例について説明するための説明図である。
【図２】データサーバ１の構成について説明するための構成図である。
【図３】通信端末２の構成について説明するための構成図である。
【図４】測定装置３の構成について説明するための構成図である。
【発明を実施するための形態】
【００１７】
以下、「データ処理装置」、「測定システム」および「データ処理用プログラム」の実施の形態について、添付図面を参照して説明する。
【００１８】
図１に示す測定システム１００は、「測定システム」の一例であって、「データ処理装置」の一例であるデータサーバ１と、「ＳＩＭカード認証通信方式の通信装置」の一例である通信端末２と、「測定装置」の一例である測定装置３ａ〜３ｃとを備えて構成されている。
【００１９】
なお、本例では、測定装置３ａ〜３ｃの３台（以下、区別しないときには「測定装置３」ともいう）を備えた構成を例に挙げて説明するが、「測定装置」の台数についてはこれに限定されず、１台の「測定装置」、２台の「測定装置」、または、４台以上の「測定装置」を備えて「測定システム」を構成することができる。また、「通信装置」の台数についても本例の構成の例に限定されず、２台以上の複数台の「通信装置」およびその「通信装置」に接続された「測定装置」を備えて「測定システム」を構成することができる。
【００２０】
データサーバ１は、一例として、測定装置３の製造者や販売者などによって開設された設備（装置）であって、例えば、測定装置３の使用者（以下、「ユーザ」ともいう）と開設者（以下、「サーバ管理者」ともいう）との間で行う後述の契約手続きにより、そのユーザによるデータサーバ１の利用が許容される。なお、データサーバ１については、この測定システム１００専用のサーバマシンを用意して運用する形態だけでなく、いわゆるレンタルサーバにおいて後述のシステム管理用プログラムＤｐを動作させて測定システム１００用の「データサーバ」として機能させることもできる。このデータサーバ１は、図２に示すように、通信部１１、記録媒体１２、操作部１３、表示部１４、処理部１５および記憶部１６を備えて構成されている。
【００２１】
通信部１１は、データサーバ１をインターネットＮ１に接続するための通信モジュールで構成され、処理部１５の制御下で各種のデータを送受信する。この場合、図１に示すように、インターネットＮ１には、移動体通信網Ｎ２（「ＳＩＭカード認証通信方式の通信装置を使用した通信が可能な通信網」の一例）が接続されており、後述するように、本例の測定システム１００では、この移動体通信網Ｎ２（移動体通信網Ｎ２に接続可能な通信端末２）、およびインターネットＮ１を介して各測定装置３とデータサーバ１との間で任意のデータの送受信が行われる。
【００２２】
記録媒体１２は、「記憶部」の一例であって、ＨＤＤやＳＳＤなどの大容量記録メディアで構成されている。この記録媒体１２は、図２に示すように、「データ処理用プログラム」の一例であるシステム管理用プログラムＤｐ（処理部１５によって実行される管理用プログラム）や、後述の利用者管理データＤｌ、動作条件データＤｒ（「動作条件データ」の一例）および測定結果データＤｍなどを記録する。操作部１３は、キーボード、およびマウス等のポインティングデバイスで構成され、後述するように、利用者登録に際して登録すべき各種の文字情報を入力したり、登録抹消に際して抹消すべき情報を選択したりすることができるように構成されている。表示部１４は、処理部１５の制御下で、データサーバ１の動作状態を示す画面などを表示する。
【００２３】
処理部１５は、システム管理用プログラムＤｐに従ってデータサーバ１を総括的に制御する。この処理部１５は、「処理部」の一例であって、後述すように、利用者登録に際して操作部１３の操作等によって入力される情報に基づき、「第１の識別データ」の一例であるカード識別データＤｃを生成して利用者管理データＤｌに追記する。また、処理部１５は、インターネットＮ１を介してのデータサーバ１の利用の可否について、利用者管理データＤｌに基づく認証処理を実行し、アクセス可能と判別したときに、このデータサーバ１の利用を許容する。なお、カード識別データＤｃの生成や利用者管理データＤｌへの追記の具体的な内容や、認証処理の具体的な手順については、後に詳細に説明する。
【００２４】
さらに、処理部１５は、後述するように測定装置３から送信される動作条件データＤｒの記録媒体１２への記録（「第１の処理」の一例）、および記録媒体１２に記録されている動作条件データＤｒの測定装置３への送信（「第２の処理」の一例）を実行する。また、処理部１５は、後述するように測定装置３から送信される測定結果データＤｍの記録媒体１２への記録、および記録媒体１２に記録されている測定結果データＤｍの情報処理端末４などへの送信を実行する。なお、動作条件データＤｒや測定結果データＤｍの記録および送信の処理については、後に詳細に説明する。記憶部１６は、処理部１５の演算結果を一時的に記憶する。
【００２５】
通信端末２は、移動体通信網Ｎ２を介して測定装置３などをインターネットＮ１に接続させるための端末であって、本例では、測定装置３のユーザが測定装置３と共に購入した通信端末２や、サーバ管理者、またはサーバ管理者が許可したレンタル業者が測定装置３のユーザに対して貸与した通信端末２が使用されて測定システム１００が構成されている。この通信端末２は、図３に示すように、通信部２１，２２、操作部２３、表示部２４、処理部２５および記憶部２６を備えて構成されている。
【００２６】
通信部２１は、一例として、ブルートゥース（Bluetooth ：登録商標）規格などの近距離無線通信規格に準ずる無線通信が可能な通信アダプタで構成されている。この通信部２１は、処理部２５の制御に従い、後述するように測定装置３から送信される動作条件データＤｒや測定結果データＤｍなどの受信処理、および測定装置３に対する動作条件データＤｒなどの送信処理を実行する。
【００２７】
通信部２２は、測定装置３などを移動体通信網Ｎ２に接続させるための通信モジュールであって、ＳＩＭカードＣを装着可能なＳＩＭカードスロット２２ａを備えて構成されている。この場合、本例では、通信端末２を介してのデータサーバ１の使用を希望するユーザがサーバ管理者との間で契約手続きを行うことで、そのユーザに対して有効なＳＩＭカードＣが提供され、提供されたＳＩＭカードＣがＳＩＭカードスロット２２ａに装着されることで、通信端末２を介してのデータサーバ１へのアクセスが許容される。なお、ＳＩＭカードＣの発行手続きや通信端末２（ＳＩＭカードスロット２２ａ）への装着およびデータサーバ１へのアクセスの許容等については、後に詳細に説明する。
【００２８】
操作部２３は、通信端末２の動作条件の設定操作や、測定装置３との通信部２１を介しての通信を許容／規制する操作（ペアリング操作／解除操作）などを実行可能な操作スイッチを備え、スイッチ操作に応じた操作信号を処理部２５に出力する。表示部２４は、処理部２５の制御下で通信端末２の動作状態などを表示する。
【００２９】
処理部２５は、通信端末２を総括的に制御する。具体的には、処理部２５は、通信部２１を介しての測定装置３との各種の通信、および通信部２２（通信部２２が接続する移動体通信網Ｎ２）等を介してのデータサーバ１等との間の各種の通信を制御する。なお、処理部２５による通信制御の具体的な内容については、後に詳細に説明する。記憶部２６は、処理部２５の演算結果や、後述するように、測定装置３から送信される動作条件データＤｒおよび測定結果データＤｍ、測定装置３に対して送信させる動作条件データＤｒ、データサーバ１に対して送信する動作条件データＤｒおよび測定結果データＤｍ、並びにデータサーバ１から送信される動作条件データＤｒなどを記憶する。
【００３０】
測定装置３は、図４に示すように、測定部３１、通信部３２、操作部３３、表示部３４、処理部３５および記憶部３６を備えて構成されている。測定部３１は、予め設定された動作条件（測定条件）に従い、図示しない測定対象についての予め規定された被測定量（電流値、電圧値、抵抗値、電力値、位相、温度、湿度、歪み、輝度（光度）、照度、雨量および流量など）を測定する測定処理を実行して測定値Ｄｓを処理部３５に出力する。
【００３１】
通信部３２は、一例として、前述した通信端末２の通信部２１と同様にしてブルートゥース等の近距離無線通信規格に準ずる無線通信が可能な通信アダプタで構成され、通信端末２等の外部装置との間で、動作条件データＤｒや測定結果データＤｍなどの各種のデータを送受信する。操作部３３は、測定装置３の動作条件（測定部３１による測定処理の測定条件）などの設定が可能な操作スイッチを備え、スイッチ操作に応じた操作信号を処理部３５に出力する。表示部３４は、処理部３５の制御下で、測定装置３の動作状態や測定部３１による測定処理の結果（測定値）を表示する。
【００３２】
処理部３５は、測定装置３を総括的に制御する。具体的には、処理部３５は、操作部３３の操作によってユーザが設定した条件に従って生成した動作条件データＤｒや、後述するようにデータサーバ１から送信された動作条件データＤｒに基づいて測定部３１を制御して測定処理を実行させる。また、処理部３５は、測定部３１から出力される測定値Ｄｓを記憶部３６に記憶させると共に、記憶させた測定値Ｄｓに基づいて測定結果データＤｍを生成する。さらに、処理部３５は、ユーザからの指示に従い、上記の動作条件データＤｒや測定結果データＤｍを通信部３２からデータサーバ１に送信させる。記憶部３６は、各測定装置３を識別可能な測定装置識別データＤ３（一例として、測定装置３の製造番号：「第２の識別データ」の一例）や、上記の動作条件データＤｒ、測定値Ｄｓおよび測定結果データＤｍなどを記憶する。
【００３３】
次に、測定システム１００の使用方法の一例について添付図面を参照して説明する。なお、データサーバ１の開設（システム管理用プログラムＤｐのインストールなど）は既に完了しているものとする。
【００３４】
例えば、測定装置３のユーザが、通信端末２（移動体通信網Ｎ２）を介してのデータサーバ１の利用を希望するときには、前述したように、サーバ管理者との間で契約手続きを実施する。
【００３５】
この場合、サーバ管理者は、ユーザに対して貸与するＳＩＭカードＣに格納されているＩＭＳＩ（International Mobile Subscriber Identity）、またはＳＩＭカードＣの製造番号などの「ＳＩＭカードを識別可能なユニークな情報」で構成されたカード識別データＤｃを、データサーバ１の操作部１３の操作、または、インターネットＮ１等を介してデータサーバ１に接続可能な図示しない操作端末の操作（遠隔操作）によってデータサーバ１に登録する。この際に、処理部１５は、システム管理用プログラムＤｐに従い、記録媒体１２に記録されている利用者管理データＤｌに、入力された利用者名等の利用者情報、カード識別データＤｃの情報、および契約有効期間（データサーバ１の使用を許容する期間の開始日および終了日等を特定可能な情報）を相互に関連付けて追記する。
【００３６】
また、サーバ管理者は、上記の契約有効期間およびカード識別データＤｃを相互に関連付けた情報を、移動体通信網Ｎ２の管理者設備Ａｆを管理する者（以下、「移動体通信管理者」ともいう）に提供すると共に、カード識別データＤｃの登録を完了したＳＩＭカードＣをユーザに貸与する。これにより、上記のカード識別データＤｃがデータサーバ１に登録されたＳＩＭカードＣを装着した「ＳＩＭカード認証通信方式の通信装置（通信端末２等）」による移動体通信網Ｎ２を介しての通信が許容される状態となる。
【００３７】
なお、以下の例では、測定装置３のユーザが通信端末２を所有しているものとして説明するが、通信端末２をレンタル業者等からユーザに貸与する形態を採用することもできる。このような形態においては、カード識別データＤｃの登録を完了したＳＩＭカードＣをサーバ管理者がレンタル業者に提供し、レンタル業者が、提供されたＳＩＭカードＣと貸与品である通信端末２とをユーザに貸与する。また、前述の契約行為自体をレンタル業者が代行する場合には、レンタル業者がユーザに対して貸与するＳＩＭカードＣのカード識別データＤｃなどをサーバ管理者に伝達し、サーバ管理者が、伝達された情報に基づいて上記の一連の登録作業と同様の作業を実施する。
【００３８】
一方、ＳＩＭカードＣを貸与されたユーザは、入手したＳＩＭカードＣを通信端末２のＳＩＭカードスロット２２ａに装着する。これにより、ＳＩＭカードＣの装着を完了した通信端末２を介しての移動体通信網Ｎ２の利用が可能な状態となる。また、ユーザは、通信端末２（通信部２１）と測定装置３（通信部１１）との間の通信を行うためのペアリング作業を実施する。なお、ブルートゥースのペアリング作業の内容については公知のため、詳細な説明を省略する。これにより、通信端末２（移動体通信網Ｎ２）を介して測定装置３をインターネットＮ１に接続することが可能な状態となり、測定システム１００を利用することが可能な状態となる。
【００３９】
次いで、ユーザは、一例として、測定装置３の操作部３３を操作して測定部３１による測定処理の条件（測定条件）を設定する。この際に、処理部３５は、設定された条件（測定対象のパラメータ、測定レンジ、サンプリングレート、および測定開始／終了を特定可能な情報等）や、測定部３１に接続されている信号ケーブルおよび各種センサ等の種別（結線情報）などを特定可能な動作条件データＤｒを生成して記憶部３６に記憶させる。この場合、本例の測定システム１００では、設定した測定条件をデータサーバ１に保存しておくことが可能となっている。したがって、データサーバ１への測定条件の保存を希望するときに、ユーザは、操作部３３を操作して測定条件の保存先としてデータサーバ１を選択する。これに応じて、処理部３５は、通信部３２を介して通信端末２に接続し、移動体通信網Ｎ２およびインターネットＮ１を介してのデータサーバ１へのアクセスを開始する。
【００４０】
この際に、通信端末２では、処理部２５が、ＳＩＭカードＣから読み出したカード識別データＤｃを含む情報を移動体通信網Ｎ２の管理者設備Ａｆに送信する。また、前述したようにサーバ管理者からのカード識別データＤｃ等の提供を受けて、ＳＩＭ認証通信に必要な情報が管理者設備Ａｆに登録されているため、有効なカード識別データＤｃが含まれた情報が通信端末２から送信されることにより、その通信端末２による移動体通信網Ｎ２の使用（移動体通信網Ｎ２を介しての通信）が許容される（ＳＩＭカード認証通信の開始）。これにより、通信端末２（移動体通信網Ｎ２）を介して測定装置３がインターネットＮ１に接続される。
【００４１】
また、データサーバ１では、通信端末２（移動体通信網Ｎ２）を介しての測定装置３からのアクセスを受け、送信された情報に含まれているカード識別データＤｃが利用者管理データＤｌに登録されているか否か、およびそのカード識別データＤｃのＳＩＭカードＣを有する者が契約有効期間内であるか否かを判別する。
【００４２】
この際に、利用者管理データＤｌにカード識別データＤｃが登録されていないとき（利用者管理データＤｌに登録されているカード識別データＤｃ以外のカード識別データＤｃであるとき）や、契約有効期間外であると判別したときに、処理部１５は、そのカード識別データＤｃを含む情報を送信した通信端末２（「第２の通信装置」の一例）のデータサーバ１のアクセスを規制する。これにより、データサーバ１を使用する権利を有していない者によるデータサーバ１へのアクセス（データサーバ１に対する各種のデータの送受信）が回避される。
【００４３】
また、利用者管理データＤｌにカード識別データＤｃが登録され、かつそのカード識別データＤｃのＳＩＭカードＣが契約有効期間内であると判別したときに、処理部１５は、そのカード識別データＤｃを含む情報を送信した通信端末２（「第１の通信装置」の一例）のデータサーバ１へのアクセスを許容する。
【００４４】
一方、通信部３２が接続されている通信端末２の移動体通信網Ｎ２およびインターネットＮ１を介してのデータサーバ１へのアクセスが許容された測定装置３では、処理部３５が、データサーバ１に保存すべき動作条件データＤｒを測定装置識別データＤ３に関連付けて通信部３２から送信する。
【００４５】
この際に、データサーバ１に対するアクセスが許容された通信端末２に接続されている測定装置３が測定装置３ａの場合には、測定装置３ａに対して設定されている測定条件を示す動作条件データＤｒが、測定装置３ａを識別可能な測定装置識別データＤ３ａに関連付けられて送信され、測定装置３ｂの場合には、測定装置３ｂに対して設定されている測定条件を示す動作条件データＤｒが、測定装置３ｂを識別可能な測定装置識別データＤ３ｂに関連付けられて送信され、測定装置３ｃの場合には、測定装置３ｃに対して設定されている測定条件を示す動作条件データＤｒが、測定装置３ｃを識別可能な測定装置識別データＤ３ｃに関連付けられて送信される。
【００４６】
また、通信端末２では、処理部２５が、測定装置３から送信されて通信部２１によって受信された動作条件データＤｒおよび測定装置識別データＤ３を通信部２２から移動体通信網Ｎ２およびインターネットＮ１を介してデータサーバ１に送信する。
【００４７】
さらに、データサーバ１では、処理部１５が、移動体通信網Ｎ２およびインターネットＮ１を介して送信されて動作条件データＤｒおよび測定装置識別データＤ３が通信部１１によって受信されたときに、それらのデータを上記のアクセス時に提供されたカード識別データＤｃに関連付けて記録媒体１２に記録する（「第１の処理」の一例）。これにより、例えば、測定装置３ａの動作条件データＤｒが、測定装置３ａの測定装置識別データＤ３ａ、および測定装置３ａが接続されている通信端末２に装着されたＳＩＭカードＣのカード識別データＤｃに関連付けられてデータサーバ１に登録される。これにより動作条件データＤｒのデータサーバ１への保存が完了する。
【００４８】
続いて、測定部３１を図示しない測定対象に接続した後に、設定した測定条件に従って測定部３１に測定処理を実行させる。この際に、処理部３５は、測定部３１から出力される測定値Ｄｓに基づいて測定結果データＤｍを生成して記憶部３６に記憶させる。また、一連の測定作業が完了したときには、生成された測定結果データＤｍをデータサーバ１に送信して保存させることができる。
【００４９】
この際に、処理部３５は、前述の動作条件データＤｒのデータサーバ１への保存時と同様にして、通信部３２を介して通信端末２に接続し、移動体通信網Ｎ２およびインターネットＮ１を介してのデータサーバ１へのアクセスを開始する。なお、測定装置３によるデータサーバ１へのアクセス開始時に通信端末２やデータサーバ１によって実行される各種の処理は、動作条件データＤｒの送信に先立って実行された処理と同様のため、詳細な説明を省略する。これにより、測定結果データＤｍを送信しようとしている測定装置３が接続されている通信端末２のデータサーバ１へのアクセスが許容される。次いで、処理部３５は、データサーバ１に保存すべき測定結果データＤｍを測定装置識別データＤ３に関連付けて通信部３２から送信する。
【００５０】
この際に、データサーバ１に対するアクセスが許容された通信端末２に接続されている測定装置３が測定装置３ａの場合には、測定装置３ａにおいて生成された測定結果データＤｍが、測定装置３ａを識別可能な測定装置識別データＤ３ａに関連付けられて送信され、測定装置３ｂの場合には、測定装置３ｂにおいて生成された測定結果データＤｍが、測定装置３ｂを識別可能な測定装置識別データＤ３ｂに関連付けられて送信され、測定装置３ｃの場合には、測定装置３ｃにおいて生成された測定結果データＤｍがが、測定装置３ｃを識別可能な測定装置識別データＤ３ｃに関連付けられて送信される。
【００５１】
また、通信端末２では、処理部２５が、測定装置３から送信されて通信部２１によって受信された測定結果データＤｍおよび測定装置識別データＤ３を通信部２２から移動体通信網Ｎ２およびインターネットＮ１を介してデータサーバ１に送信する。
【００５２】
さらに、データサーバ１では、処理部１５が、移動体通信網Ｎ２およびインターネットＮ１を介して送信されて測定結果データＤｍおよび測定装置識別データＤ３が通信部１１によって受信されたときに、それらのデータを上記のアクセス時に提供されたカード識別データＤｃに関連付けて記録媒体１２に記録する。これにより、例えば、測定装置３ａによる測定処理の測定結果を特定可能な測定結果データＤｍが、測定装置３ａの測定装置識別データＤ３ａ、および測定装置３ａが接続されている通信端末２に装着されたＳＩＭカードＣのカード識別データＤｃに関連付けられてデータサーバ１に登録される。これにより測定結果データＤｍのデータサーバ１への保存が完了する。
【００５３】
なお、本例の測定システム１００では、上記のようにデータサーバ１に保存した測定結果データＤｍに関し、一例として、前述の契約手続き時に正規なユーザに対して発行されるＩＤおよびパスワードを使用して、インターネットＮ１に接続した各種の情報処理端末（例えば、図１に示す情報処理端末４）からデータサーバ１にアクセスしてダウンロードすることが可能となっている。また、データサーバ１に保存されている動作条件データＤｒについても、正規なユーザの情報処理端末４にダウンロードしたり、新たな動作条件データＤｒを情報処理端末４からデータサーバ１にアップロードしたりすることが可能となっている。
【００５４】
一方、本例の測定システム１００では、例えば、他の測定現場において他の測定条件で測定処理等を行った後に、前述の設定操作によって設定した測定条件での測定処理を再び実行するときには、操作部３３を操作して測定条件を新たに入力する使用方法に代えて、データサーバ１に保存されている動作条件データＤｒを取得して測定装置３に設定することが可能となっている。
【００５５】
具体的には、操作部３３の操作によってデータサーバ１からの動作条件データＤｒの取得を指示されたときに、処理部３５は、まず、通信部３２を介して通信端末２に接続し、移動体通信網Ｎ２およびインターネットＮ１を介してのデータサーバ１へのアクセスを開始する。なお、測定装置３によるデータサーバ１へのアクセス開始時に通信端末２やデータサーバ１によって実行される各種の処理は、動作条件データＤｒや測定結果データＤｍの送信に先立って実行された処理と同様のため、詳細な説明を省略する。これにより、測定装置３が接続されている通信端末２のデータサーバ１へのアクセスが許容される。
【００５６】
次いで、処理部３５は、データサーバ１から取得可能な動作条件データＤｒの一覧の送信をデータサーバ１に対して要求する。この際に、データサーバ１では、処理部１５が、測定装置３からの要求の情報に含まれている測定装置識別データＤ３に基づき、その測定装置識別データＤ３に関連付けられて記録媒体１２に記録されている動作条件データＤｒの有無を判別する。また、測定装置識別データＤ３に関連付けられた動作条件データＤｒが記録されていないときには、一例として「保存されている測定条件が存在しません。」とのメッセージを測定装置３に対して送信し、測定装置識別データＤ３に関連付けられた動作条件データＤｒが記録されているときには、その一覧を測定装置３に対して送信する。
【００５７】
また、データサーバ１に保存されている動作条件データＤｒの一覧についての情報を送信された測定装置３では、処理部３５が、その一覧を表示部３４に表示させる。これに応じて、操作部１３の操作によっていずれかの動作条件データＤｒが選択されたときに、処理部３５は、データサーバ１に対して、選択された動作条件データＤｒの送信を要求する。
【００５８】
また、データサーバ１では、処理部１５が、測定装置３から送信を要求された動作条件データＤｒを記録媒体１２から読み出し、通信部１１からインターネットＮ１および移動体通信網Ｎ２（通信端末２）を介して測定装置３に送信させる（「第２の処理」の一例）。これに応じて、測定装置３では、処理部３５が、送信された動作条件データＤｒを記憶部３６に記憶させると共に、測定部３１による測定処理の条件（測定条件）として設定する。以上により、データサーバ１に保存されている動作条件データＤｒを使用した測定条件の設定作業が完了する。
【００５９】
一方、本例の測定システム１００では、上記のように使用している通信端末２が故障したときや、レンタル業者から貸与されている通信端末２を返却したときに、それらの通信端末２に装着されているＳＩＭカードＣを取り外して、新たに用意した通信端末２に装着するだけで、測定装置３によってデータサーバ１を継続して使用することが可能となっている。
【００６０】
例えば、使用中の通信端末２が故障して移動体通信網Ｎ２への接続ができない状態となったときには、まず、その通信端末２からＳＩＭカードＣを取り外す。次いで、新たに用意した通信端末２に、故障した通信端末２から取り外したＳＩＭカードＣを装着すると共に、ＳＩＭカードＣを装着した通信端末２と各測定装置３との間の通信を行うためのペアリング作業を実施する。これにより、新たな通信端末２を介しての測定装置３とデータサーバ１との間の通信が可能な状態となる。
【００６１】
具体的には、新たな通信端末２を介して測定装置３からデータサーバ１に動作条件データＤｒや測定結果データＤｍなどを送信するときや、新たな通信端末２を介してデータサーバ１から測定装置３に動作条件データＤｒなどを送信するときには、測定装置３がデータサーバ１に対してアクセスする際に通信端末２によってＳＩＭカードＣから読み出されたカード識別データＤｃがデータサーバ１に送信される。このカード識別データＤｃは、故障した通信端末２のＳＩＭカードスロット２２ａに装着されていたＳＩＭカードＣと同じＳＩＭカードＣから読み出されたカード識別データＤｃである。
【００６２】
したがって、このカード識別データＤｃが利用者や測定装置３の測定装置識別データＤ３に関連付けられてデータサーバ１に登録され、かつ移動体通信網Ｎ２の管理者設備Ａｆに正規なユーザのカード識別データＤｃとして登録された状態となっている。このため、データサーバ１や管理者設備Ａｆにおいて、新たな通信端末２の使用に対応する新規登録処理や登録事項の変更処理を行うことなく、移動体通信網Ｎ２への新たな通信端末２の接続が許容され、かつ新たな通信端末２を介してのデータサーバ１へのアクセスが許容されて、測定装置３とデータサーバ１との間で各種のデータを送受信させることができる。
【００６３】
また、本例の測定システム１００では、一例として、ユーザとサーバ管理者との前述の契約期間が満了し、更新手続きが実施されなかったときに、サーバ管理者から移動体通信管理者に、契約期間が満了したＳＩＭカードＣについてのカード識別データＤｃを特定可能な情報が提供される。この場合、ＳＩＭカードＣは、サーバ管理者（または、移動体通信管理者）の所有物であり、ユーザは、サーバ管理者等から貸与されたＳＩＭカードＣを使用しているため、一般的には、契約期間の満了に合わせてＳＩＭカードＣをサーバ管理者等に返却する。
【００６４】
この際に、基本的には、返却されたＳＩＭカードＣは再利用されることがない。したがって、一例として、契約満了を迎えたユーザ（以下、「前ユーザ」ともいう）が使用していた通信端末２がレンタル業者からの貸与品であり、その通信端末２を他のユーザ（以下、「新ユーザ」ともいう）が使用したとしても、新ユーザに貸与されるＳＩＭカードＣには他のカード識別データＤｃが記録されているため、利用者管理データＤｌに登録されているカード識別データＤｃ（前ユーザに貸与されたＳＩＭカードＣに記録されているカード識別データＤｃ）と同じカード識別データＤｃが貸与品の通信端末２から送信されることはない。これにより、前ユーザがデータサーバ１に保存した動作条件データＤｒや測定結果データＤｍが新ユーザによって使用される事態が回避される。
【００６５】
このように、このデータサーバ１では、ＳＩＭカード認証通信方式の通信端末２に装着されるＳＩＭカードＣを識別可能なカード識別データＤｃ、およびカード識別データＤｃに対応するＳＩＭカードＣが装着された通信端末２に接続される測定装置３を識別可能な測定装置識別データＤ３を記憶する記録媒体１２と、カード識別データＤｃが記録媒体１２に記憶されているＳＩＭカードＣが装着された通信端末２を介しての測定装置３との間の任意のデータの送受信を許容すると共に、カード識別データＤｃが記録媒体１２に記憶されていないＳＩＭカードＣが装着された「通信端末としての第２の通信端末」を介しての測定装置３との間の任意のデータの送受信を規制する処理部１５とを備え、処理部１５が、通信端末２に接続された測定装置３の動作条件を特定可能な動作条件データＤｒを任意のデータとして測定装置３から通信端末２を介して受信して測定装置３の測定装置識別データＤ３に関連付けて記録媒体１２に記憶させる「第１の処理」と、通信端末２に接続され、かつ対応する測定装置識別データＤ３および動作条件データＤｒが記録媒体１２に記憶されている測定装置３に対して通信端末２を介して動作条件データＤｒを送信する「第２の処理」とを実行可能に構成されている。また、この測定システム１００では、上記のデータサーバ１、通信端末２、および測定装置３を備えて構成されている。さらに、このシステム管理用プログラムＤｐでは、上記の各処理をデータサーバ１の処理部１５に実行させる。
【００６６】
したがって、このデータサーバ１、測定システム１００およびシステム管理用プログラムＤｐによれば、ユーザＩＤやパスワードの入力作業を行うことなく、記録媒体１２へのカード識別データＤｃの記憶が完了しているＳＩＭカードＣを装着した通信端末２を介して接続させるだけで、測定装置３等からデータサーバ１に対する各種データの送受信を行わせることができると共に、カード識別データＤｃが記録媒体１２に記憶されていないＳＩＭカードＣが装着された「通信装置」を介してのデータサーバ１の使用、すなわち、非正規な利用者によるデータサーバ１の使用を好適に制限することができる。また、故障等に起因して使用中の通信端末２とは異なる通信端末２を使用する場合にも、新規の登録作業や、新たな通信端末２の使用についての登録事項の変更作業を行うことなく、記録媒体１２へのカード識別データＤｃの記憶が完了しているＳＩＭカードＣを新たな通信端末２に装着するだけで、変更前の通信端末２を使用したデータの送受信時と同様に各種のデータを送受信させることができる。さらに、通信端末２を介して各測定装置３の動作条件データＤｒをデータサーバ１に保存しておくことで、通信端末２を介してその動作条件データＤｒを取得して測定条件を設定することができるため、操作部３３の操作等による煩雑な設定作業を不要とし、任意の測定条件に従って測定処理を確実かつ容易に実施させることができる。
【００６７】
なお、「データ処理装置」および「測定システム」の構成や、「データ処理用プログラム」の処理内容については、上記の例に限定されない。例えば、ユーザが任意のタイミングで測定装置３からデータサーバ１に動作条件データＤｒを送信して保存させる例について説明したが、予め規定されたタイミングで測定装置３からデータサーバ１に動作条件データＤｒを自動的に送信させて保存させる構成を採用することもできる。具体的には、一例として、測定装置３からデータサーバ１への測定結果データＤｍの送信に連動して、その測定結果データＤｍの測定処理についての動作条件データＤｒを測定装置３からデータサーバ１に送信して測定結果データＤｍと共に保存させる構成を採用することができる。
【００６８】
また、ユーザが任意のタイミングでデータサーバ１から測定装置３に動作条件データＤｒを送信させて測定条件を設定する例について説明したが、予め規定されたタイミングでデータサーバ１から測定装置３に動作条件データＤｒを自動的に送信させて測定条件を設定する構成を採用することもできる。
【００６９】
具体的には、一例として、測定装置３を通信端末２に接続したときに通信端末２が移動体通信網Ｎ２に接続している基地局の位置情報を通信端末２から取得し、その位置情報の測定現場において前回行った測定処理の動作条件データＤｒの送信をデータサーバ１に対して要求することで、データサーバ１から送信される動作条件データＤｒを測定条件として自動的に設定する構成を採用することができる（測定装置３からの要求に応じてデータサーバ１が動作条件データＤｒを送信する構成の一例）。このような構成を採用する場合には、通信端末２から取得される位置情報を動作条件データＤｒに関連付けてデータサーバ１に登録する必要がある。また、測定装置３からデータサーバ１に送信した測定結果データＤｍが予め規定された条件を満たしているとき（例えば、予め規定された異常値を示す測定結果データＤｍであったとき）に、その測定結果データＤｍを送信した測定装置３に対してデータサーバ１に保存されている動作条件データＤｒ（正常な測定結果データＤｍを生成し得る測定処理を実行可能な測定条件）を自動的に送信し、測定装置３において、送信された動作条件データＤｒを測定条件として自動的に設定する構成を採用することもできる（予め規定された条件を満たす測定装置３に対してデータサーバ１が条件データＤｒを自動送信する構成の一例））。
【００７０】
さらに、「データ処理装置」としてのデータサーバ１の管理者（サーバ管理者）と、測定装置３のユーザとが異なる運用形態について説明したが、「測定装置」のユーザが「データ処理装置」の管理者となって「データ処理装置」へのカード識別データＤｃの登録作業を実施する運用形態を採用することもできる。加えて、「通信装置」は、前述の測定システム１００における通信端末２のように「測定装置」とは別体に構成された装置に限定されず、「測定装置」と「通信装置」とを一体化した構成（「測定装置」に「通信装置」としての機能を備えた構成）を採用することもできる。
【符号の説明】
【００７１】
１００  測定システム
１  データサーバ
２  通信端末
３ａ〜３ｃ  測定装置
４  情報処理端末
１１，２１，２２，３２  通信部
１２  記録媒体
１５，２５，３５  処理部
１６，２６，３６  記憶部
２２ａ  ＳＩＭカードスロット
３１  測定部
Ａｆ  管理者設備
Ｃ  ＳＩＭカード
Ｎ１  インターネット
Ｎ２  移動体通信網
Ｄ３ａ〜Ｄ３ｃ  測定装置識別データ
Ｄｃ  カード識別データ
Ｄｌ  利用者管理データ
Ｄｍ  測定結果データ
Ｄｒ  動作条件データ
Ｄｐ  システム管理用プログラム
Ｄｓ  測定値
【図１】
2019149103.tif 000003
【図２】
2019149103.tif 000004
【図３】
2019149103.tif 000005
【図４】
2019149103.tif 000006